(57)【特許請求の範囲】
【請求項１】
開閉可能な上蓋、通気可能な下蓋及び側板とからなるフロートボックス内に脱臭層を上方に、通気穴を多数有するフロート層を下方に配置して収納したことを特徴とする脱臭用フロート。
【請求項２】
フロートボックスの側板外面には、磁石を隣接するフロートボックス同士が吸着し合うように取り付けたことを特徴とする請求項１に記載の脱臭用フロート。
【請求項３】
開閉可能な上蓋、通気可能な下蓋及び側板とからなるフロートボックス内に脱臭層を上方に、通気穴を多数有するフロート層を下方に配置して収納した脱臭用フロートの多数を水面に配置して浮かべることを特徴とする脱臭方法。
【請求項４】
水面に配置して浮かべた脱臭用フロートの多数は、隣接するフロートボックス同士がフロートボックスの側板外面に取り付けられた磁石により吸着して結合することを特徴とする請求項３に記載の脱臭方法。
【発明の詳細な説明】
【０００１】
【発明の属する技術分野】
本発明は、主として下水処理場の沈殿池等の施設から発生する悪臭を防止するためのユニット状にした脱臭用フロート及び脱臭方法に関する。
【０００２】
下水処理場の汚水沈殿池等の処理施設は、処理場特有の悪臭が発生する。
【０００３】
この悪臭対策としては、汚水沈殿池等の処理施設全体をコンクリートによる覆蓋構造として悪臭を外に出さないようにするのが普通である。
【０００４】
この方法は、悪臭対策としては、その効果は認められるが、汚水から発生する硫化水素（Ｈ２Ｓ）が気中に溜り、バクテリアの活動で硫酸化が生じ、沈殿池等の処理施設のコンクリート壁を著しく劣化させ社会問題化している。そこで、コンクリート壁の劣化を防止するため、コンクリート壁に樹脂塗料によるライニングを施したりしているが、これも不十分である。
【０００５】
また、覆蓋構造は鉄筋コンクリートによる覆いのため、イニシャルコストが極めて高価であり、かつ、鉄筋の腐食防止のためにランニングコストも相当で経済的に不利である。
【０００６】
【発明が解決しようとする課題】
本発明は、従来技術のこれらの問題点、すなわち、沈殿池等の処理施設の覆蓋構造であることによる硫酸化現象、経済的不利を以下述べるところにより解決しようとするものである。
【０００７】
【課題を解決するための手段】
まず、開閉可能な上蓋、通気可能な下蓋及び側板とからなるフロートボックス内に脱臭層を上方に、通気穴を多数有するフロート層を下方に配置して収納したユニット状の脱臭用フロートを提供する。
【０００８】
好ましくは、この脱臭用フロートにおいて、フロートボックスの側板外面に、隣接するフロートボックス同士が吸着し合うように磁石を取り付けて提供する。
【０００９】
好ましくは、これら脱臭用フロートにおいて、フロートボックスの下方に重りを取り付けて提供する。
【００１０】
そして、開閉可能な上蓋、通気可能な下蓋及び側板とからなるフロートボックス内に脱臭層を上方に、通気穴を多数有するフロート層を下方に配置して収納した脱臭用フロートの多数を水面に浮かべることによる脱臭方法を提供する。
【００１１】
さらには、上記の脱臭用フロートの多数を隣接するフロートボックス同士がフロートボックスの側板外面に取り付けられた磁石により吸着して結合させて浮かべることによる脱臭方法を提供する。
【００１２】
【発明の実施の形態】
つぎに、本発明の実施の形態を図面に基づき説明する。
【００１３】
図１はフロートボックスの斜視図、図２はその断面図、図３はフロートボックスの下蓋の平面図、図４は脱臭用フロートの断面図、図５はフロート層の別の例を示す図式的透視図である。
【００１４】
フロートボックス１は、図１乃至図３に示すように、プラスチックスにより形成され、六角形の筒状の側板２とその上方に側板２の外面に密接して嵌め込む上蓋３とその下方に側板２の内面に密接して嵌め込むメッシュ状の下蓋４とからなっている。これらを形成する材質は、汚水や発生するガス等に影響されることの少ないものであれば特に限定されない。大きさは特に限定はないが、この実施の形態では直径５０ｃｍ、深さ３０ｃｍ程度である。
【００１５】
側板２の外面の各面には、磁石５を、Ｎ極とＳ極とが交互に表れるように嵌め込み又は貼付等により取り付けてあり、上蓋３には開閉を容易にするため取手６を取り付けてある。フロートボックス１の下方には、任意の個所に重り７を取り付けてある。フロートボックス１の形状は六角形の筒状に限らず、正方形、矩形等の筒状であってよいこともちろんである。磁石５は互いに吸着し合うので複数のフロートボックス１を結合するのに便利であるが、結合の手段は紐またはフックを用いて行ってもよい。
【００１６】
上述のように形成されたフロートボックス１には、図４に示すように、下方にフロート層８を、必要に応じてメッシュ状の中蓋９を、その上方に脱臭層１０を配置して収納してある。このようにして全体として脱臭用フロートを形成する。
【００１７】
フロート層８は浮力のある材質のものであればよく、合成樹脂やゴム等の単独気泡の発泡体が好ましく、本発明では発泡スチロールが使用され、フロートボックス１の内壁形状に合わせた形状に形成され、通気可能なように貫通穴１１が穿孔されている。フロート層８の態様は限定されるものではなく、例えば図５に示すようにホース状に形成したものをフロートボツクス１の内壁形状に束ねて多数収納することもできる。
【００１８】
脱臭層１０は、悪臭を吸着する脱臭剤、例えば活性炭等が使用できる。これらを通気性のある布袋等に収納して使用すると便利である。なお、フロート層８と脱臭層１０とは、脱臭用フロートが汚水沈殿池等に配置されたとき、浮くように大きさ、量等を考慮して収納されることは当然である。
【００１９】
このようにして全体としてユニット化された脱臭用フロートが形成され、つぎのようにして脱臭方法が実施される。
【００２０】
図６は汚水沈殿池等に配置された脱臭用フロートの複数を示す図式的斜視図、図７は汚水沈殿池等の壁面付近と脱臭用フロートの関係を示す図式的断面図、図８は同図式的平面図である。
【００２１】
脱臭用フロート１２は、汚水沈殿池等に、図６に示すように多数配置される。脱臭用フロート１２は上述したフロート層の浮力により水面に浮かんでいる。脱臭用フロート１２のそれぞれは上述したフロートボックス１の側板に取り付けられた磁石５により互いに吸着し合って結合している。便宜上各側板に取り付けられた磁石のＮ極側とＳ極側とを平面上にＮとＳの文字で表した。なお、複数のフロートボックスの結合を磁石によることなく、紐またはフック等を用いて行ってもよい。また、上述したようにフロートボックスの下方には重りを取り付けてあるので、フロート層と脱臭層との重さのバランスが合わなくても転倒することはない。図中、１７はフック１８を介して取り付けた回収用紐で、この紐を引っ張ることによりフロートボックスを回収することができる。
【００２２】
この実施の形態では、脱臭用フロート１２は六角形筒状に形成されているので、複数を結合した状態で、汚水沈殿池等の壁１３との間に空間を生じる。空間を閉塞するには別途、端部処理用フロート１４を用いればよい。この実施の形態では、脱臭用フロート１２の半形状フロート１５と間詰フロート１６とからなり、脱臭用フロート１２同士の結合と同様に磁石が用いられている。
【００２３】
上述のようにして汚水沈殿池等に脱臭用フロート１２が配置されると、発生する悪臭としてのガス、気泡は、図４において、脱臭用フロートのフロートボックス１のメッシュ状の下蓋４、フロート層８の貫通穴１１を経て脱臭層１０に吸着される。
【００２４】
このようにすることで、悪臭の放散を抑えることができ、かつ、硫酸化現象の発生を抑えることができる。
【００２５】
【発明の効果】
本発明は上述のようにしてなるので、つぎの効果を有する。
【００２６】
請求項１乃至請求項５において、脱臭用フロートは開閉可能な上蓋、通気可能な下蓋及び側板とからなるフロートボックス内に脱臭層を上方に、通気穴を多数有するフロート層を下方に配置して収納して形成されてなるので、これを汚水処理沈殿池等の水面に多数配置して浮かべることで、水面を覆い、悪臭の放散を防止することができるばかりでなく、その悪臭を吸収させることができるので、硫酸化現象を抑えることができる。
【００２７】
硫酸化現象の発生を抑えることができることで、沈殿池等の処理施設のコンクリート壁の劣化を防止することができるとともにランニングコストも軽減できるので経済的である。
【００２８】
フロートボックスの上蓋は開閉可能なので、収納した脱臭層やフロート層は必要に応じて交換することができる。
【００２９】
請求項２及び請求項４において、フロートボックスの側板外面には磁石を取り付けてあるので、脱臭用フロートを多数汚水沈殿池等に配置して浮かべたとき、隣接する脱臭用フロートボックスは容易に結合して水面を覆うことができる。
【図面の簡単な説明】
【図１】脱臭用フロートのフロートボックスの一実施の形態を示す斜視図である。
【図２】脱臭用フロートのフロートボックスの一実施の形態を示す断面図である。
【図３】脱臭用フロートのフロートボックスの下蓋の一実施の形態を示す平面図である。
【図４】脱臭用フロートの一実施の形態を示す断面図である。
【図５】脱臭用フロートのフロート層の別の例を示す図式的透視図である。
【図６】汚水沈殿池等に配置された脱臭用フロートの複数を示す図式的斜視図である。
【図７】汚水沈殿池等の壁面付近と脱臭用フロートの関係を示す図式的断面図である。
【図８】同図式的平面図である。
【符号の説明】
１    フロートボックス
２    側板
３    上蓋
４    下蓋
５    磁石
６    取手
７    重り
８    フロート層
９    中蓋
１０  脱臭層
１１  貫通穴
１２  脱臭用フロート
１３  壁
１４  端部処理用フロート
１５  半形状フロート
１６  間詰フロート
１７  回収用紐
１８  フック
【図１】
0003539945.tif 000002
【図２】
0003539945.tif 000003
【図３】
0003539945.tif 000004
【図４】
0003539945.tif 000005
【図５】
0003539945.tif 000006
【図６】
0003539945.tif 000007
【図７】
0003539945.tif 000008
【図８】
0003539945.tif 000009